(57)【要約】  【課題】従来と同じ素材の背支桿としても、幅方向の外力に対しても有効に強度を維持させてなる背支桿を有する椅子を提供する。  【解決手段】本実施形態に係る椅子１００は、背支桿５１の少なくとも後方から視認可能な上部背フレーム５１ａを、該背支桿５１の背面を形成する背面側厚板部５１ａ１１、５１ａ２１と、この背面側厚板の前面であって該背面側厚板部５１ａ１１、５１ａ２１の左右両側縁よりも内側に偏った位置に設けられた前面側幅狭部５１ａ１２、５１ａ２２とを備えたものとした。  【選択図】図１４
2010063825.tif 000002
【特許請求の範囲】
【請求項１】
背支桿の少なくとも後方から視認可能な部位を、該背支桿の背面を形成する背面側厚板部と、この背面側厚板の前面であって該背面側厚板部の左右両側縁よりも内側に偏った位置に設けられた前面側幅狭部とを供えたものにしたことを特徴とする椅子。
【請求項２】
前記背面側厚板部と前記前面側幅狭部とが合成樹脂により一体に成型されている請求項１記載の椅子。
【請求項３】
前記背支桿が、合成樹脂製の上部背フレームと、この上部背フレームとを支える下部背フレームとを具備したものであり、前記上部背フレームが、前記背面側厚板部と前記前面側幅狭部とをそれぞれ備えている請求項２記載の椅子。
【請求項４】
前記上部背フレームが、二股に分岐する分岐桿部を有したものであり、前記各分岐桿部が、前記背面側厚板部と前記前面側幅狭部とをそれぞれ備えている請求項３記載の椅子。
【請求項５】
前記各分岐桿部の上端に、前記背面側厚板部に連続する上面側厚板部がそれぞれ設けられている請求項４記載の椅子。
【請求項６】
前記各分岐支桿部における前記背面側厚板部の下に、背凭れを前記分岐桿部に支持させるための部品を取り付ける部品取付部を前記前面幅狭部に連続させて設けている請求項５記載の椅子。
【請求項７】
前記部品が、中間部２箇所を前記分岐支桿部に支持させたアーム部を左右に延伸させた弾性横桿であり、この弾性横桿の左右のアーム部を背凭れに接続している請求項６記載の椅子。
【発明の詳細な説明】
【技術分野】
【０００１】
本発明は、オフィス等で好適に用いられる事務用の回転椅子に関するものである。
【背景技術】
【０００２】
従来、支持基部に背支桿を支持させてなる椅子において、背支桿を上下で形状を異ならせたり、材質が異なるものを連結したりするなどして、着座者の荷重並びに荷重が掛かる方向に好適に適用しようとしている椅子が種々提案されている。なかでも、背支桿を上部フレームと下部フレームとに分割し、これら上部背フレームと下部背フレームとを結合部を介して接続している椅子なども、種々提案されている（例えば、特許文献１参照）。
【０００３】
このような椅子は、背支桿でも上側と下側では求められる強度や撓み方が異なっているという点に着目してなされたものである。すなわち、上部背フレームと下部背フレームとで形状や材質を異なるものとすることで、それぞれ適した特性を付与することができ、着座者の背の荷重や動作に好適に適応することで、着座者に快適な座り心地を提供し得るものとなっている。
【特許文献１】特開２００４−１２９９６６号公報
【発明の開示】
【発明が解決しようとする課題】
【０００４】
しかしながら、背支桿には着座者の上体の動作によって、前後方向、特に後ろ方向への荷重のみならず、当該荷重が掛かった上体で、さらに幅方向や捻れ方向の外力が常に複合的に掛かった状態となる。そしてその様な観点から背支桿に求められる強度を考えた場合、言い換えれば、着座者は背凭れに上体を預けた状態での上述した種々の方向の外力が掛かるような動作に対応することを考えると、特に幅方向の荷重に対して好適に対応させるということが必要となる。
【０００５】
すなわち、同じ強度の材質を有する背支桿であっても、幅方向の力に対する剛性が、より要求されるものとなっている。
【０００６】
本発明は、このような不具合に着目したものであり、従来と同じ素材の背支桿としても、幅方向の外力に対しても有効に強度を維持させてなる背支桿を有する椅子を提供する。
【課題を解決するための手段】
【０００７】
本発明は、このような目的を達成するために、次のような手段を講じたものである。すなわち、本発明に係る椅子は、背支桿の少なくとも後方から視認可能な部位を、該背支桿の背面を形成する背面側厚板部と、この背面側厚板の前面であって該背面側厚板部の左右両側縁よりも内側に偏った位置に設けられた前面側幅狭部とを供えたものにしたことを特徴とする。
【０００８】
このようなものであれば、見た目の質量感を有効に維持しつつ、背支桿に掛かる荷重のうち、同じ素材を用いても幅方向からの荷重に対してある程度の柔軟性を付与しながら十分な強度を実現させることができる。そうすることにより、背支桿に複数の方向から同時に掛かる荷重に対しても有効に対応することが可能である。
【０００９】
また、後方からの見栄えを良好に担保しつつ背支桿に掛かる荷重をバランス良く受け得るものとするためには、背支桿を、背面側厚板部と前面側幅狭部とを合成樹脂により一体に成型したものとすることが望ましい。
【００１０】
特に、上下方向で異なる着座者からの荷重の掛かり方に対して好適に対応し得るものとするためには、背支桿を、合成樹脂製の上部背フレームと、この上部背フレームとを支える下部背フレームとを具備したものとして、上部背フレームを、前記背面側厚板部と前記前面側幅狭部とをそれぞれ備えたものとすることが好ましい。
【００１１】
特に着座者の上体を好適に支持し得るための具体的な構成として、上部背フレームが、二股に分岐する分岐桿部を有したものとして、各分岐桿部が、背面側厚板部と前面側幅狭部とをそれぞれ備えたものとすることが望ましい。
【００１２】
また後方からの見栄えをさらに有効に担保し得る構成として、各分岐桿部の上端に、前記背面側厚板部に連続する上面側厚板部をそれぞれ設けたものを挙げることができる。
【００１３】
前記各分岐支桿部における前記背面側厚板部の下に、背凭れを前記分岐桿部に支持させるための部品を取り付ける部品取付部を前記前面幅狭部に連続させて設けたものとすれば、当該部品取付部を目立たさずに良好な見栄えを担保し得るものとなる。
【００１４】
具体的には、上述した部品取付部に取り付ける部品を、中間部２箇所を前記分岐支桿部に支持させたアーム部を左右に延伸させた弾性横桿として、この弾性横桿の左右のアーム部を背凭れに接続したものとすれば、背支桿が背を確実に支持し得るとともに弾性横桿が着座者の背の動きに好適に対応して支持しうるものとなり、着座者に快適な着座間を与え得るものとなる。
【発明の効果】
【００１５】
本発明によれば、背支桿に掛かる荷重のうち、同じ素材を用いても幅方向からの荷重に対して有効に強度を向上させることができる。そうすることにより、背支桿に複数の方向から同時に掛かる荷重に対しても有効に対応することができる椅子を提供することが可能である。
【発明を実施するための最良の形態】
【００１６】
以下、本発明をシンクロチルト式の事務用回転椅子１００に適用した場合の一実施形態につき、図面を参照して説明する。
【００１７】
この椅子１００は、図１及び図２に示すように、脚１と、この脚１の上部に支持され水平旋回可能な支持基部２と、この支持基部２の上に配された座受３と、この座受３に保持された座４と、前記支持基部２に後傾動作可能に設けられた背支持体５と、この背支持体５に取り付けられた背凭れ６と、座受３の両側から立ち上がる肘掛け１０とを具備してなる。
【００１８】
前記脚１は、図１及び図２に示すように、脚ベース１１と、脚ベース１１の中心部に設けられた脚支柱１２とを備えてなる。前記脚ベース１１は、中心部に設けたハブから脚羽根を放射状に突出させて設けたもので、前記脚羽根先端にキャスターをそれぞれ設けている。前記脚支柱１２は、ガススプリングを主体に構成されたもので、上下方向に弾性的に伸縮し、所望位置でロックすることができるようにした通常のものである。
【００１９】
前記支持基部２は、図１、図２、図３及び図４に示すように、前記脚支柱１２の上端部に取り付けられたハウジング２１と、このハウジング２１に剛結され前記背支持体５を後傾動作可能に支持する主軸２２と、前記ハウジング２１内に設けられ前記背支持体５の後傾動作に対して反発力を発生させる傾動反力発生機構２３とを具備してなる。前記傾動反力発生機構２３は、コイルスプリングやガススプリング等を用いた通常のものであるため、説明を省略する。
【００２０】
前記座受３は、図１及び図２に示すように、前記座４を保持するシェル状のもので、その前端側が前記支持基部２に前後動可能に取り付けられているとともに、その後端側が前記背支持体５の基端部に支持されている。
【００２１】
前記背支持体５は、図１乃至図５に示すように、前記支持基部２の主軸２２に後傾動作可能に支持された背支桿５１と、この背支桿５１の上端部に取り付けられた弾性横桿５２とを主に具備してなる。なお、斯かる背支持体５の具体的な構成については後に詳述する。
【００２２】
前記背凭れ６は、図１、図２及び図５に示すように、背板６１を主体に構成されたものである。前記背板６１は、背板本体６１ａとこの背板本体６１ａの左右両側部に設けた側端取付部６１ｃと、前記背板本体６１ａの下端部に設けた下端取付部６１ｂとを具備してなるもので、前記側端取付部６１ｃを前記弾性横桿５２の両端部に接続するとともに、前記下端取付部６１ｂを前記背支桿５１の下部背フレームに取り付けている。前記背板本体６１ａは、合成樹脂により作られたもので、孔を有しない周縁枠部６１ａ１と、この周縁枠部６１ａ１に囲まれた中間面部６１ａ２とを具備してなる。前記中間面部６１ａ２は、複数の孔を設けた樹脂メッシュ領域Ｍと、孔を有しない樹脂シェル領域Ｓとを備えたもので、その樹脂メッシュ領域Ｍと樹脂シェル領域Ｓとを交互に配置している。具体的には、前記中間面部６１ａ２の樹脂シェル領域Ｓは、水平なベルト状のもので前記周縁枠部６１ａ１の対向部位を連結するように配されている。ベルト状をなす前記樹脂シェル領域Ｓは、上下方向に間隔を開けて複数本平行に配されており、これら樹脂シェル領域Ｓ間及び樹脂シェル領域Ｓと周縁枠部６１ａ１との間に前記樹脂メッシュ領域Ｍがそれぞれ形成されている。前記樹脂メッシュ領域Ｍは、前記樹脂シェル領域Ｓよりも薄肉に形成されており、多数の孔６１ｄを有している。前記樹脂シェル領域Ｓの前面と前記樹脂メッシュ領域Ｍの前面とは面一に形成されている。
【００２３】
ここで、本実施形態に係る椅子１００は、背支桿５１の少なくとも後方から視認可能な部位を、該背支桿５１の背面を形成する背面側厚板部５１ａ１１、５１ａ２１と、この背面側厚板の前面であって該背面側厚板部５１ａ１１、５１ａ２１の左右両側縁よりも内側に偏った位置に設けられた前面側幅狭部５１ａ１２、５１ａ２２とを備えたものにしたことを特徴とするものである。
【００２４】
以下、椅子１００の、特に背支桿５１並びに背支桿のカバー５３の具体的な構成について説明する。
【００２５】
前記背支桿５１は、図１乃至５に示すように、基端部５１ｂ４を前記支持基部２に取り付けた下部背フレーム５１ｂと、この下部背フレーム５１ｂの先端にテーパ結合部５１ｃを介して結合した上部背フレーム５１ａとを備えている。前記下部背フレーム５１ｂは、金属製のもので、その外側が後述するカバーすなわち背支桿のカバー５３により覆われている。その背支桿のカバー５３の外面は、前記上部背フレーム５１ａの外面に連続するように位置づけられている。前記上部背フレーム５１ａは、合成樹脂により一体成形されたもので、その上方は二股に分岐されている。
【００２６】
下部背フレーム５１ｂは、図３乃至７、図９乃至１１に示すように、例えば剛性の高い金属を適宜成形・溶接することによってなるものであり、上述の通り、支持基部２に取り付けられた基端部５１ｂ４の他、当該下部背フレーム５１ｂの外形をなす左右対をなす縦フレーム部５１ｂ１と、当該対をなす縦フレーム部５１ｂ１間を溶接により接続する結合板部５１ｂ２と、座受枢支用の軸５１ｂ３とを有している。また基端部５１ｂ４には側面視上下に２つの穴を有しているが、本実施形態では上方の穴を支持基部２に対する回転中心としている。
【００２７】
縦フレーム部５１ｂ１は、同図に示すように、前後方向中央部を上方に隆起させた箇所に座受枢支用の軸５１ｂ３を挿通するための軸挿通孔５１ｂ１３と、結合板部５１ｂ２近傍には上述した傾動反力発生機構２３の上端を固定するための固定軸とを有している。そして本実施形態では、この縦フレーム部５１ｂ１の左右面部、すなわち、右側の縦フレーム部５１ｂ１の右側面を本発明に係る右の位置決め面５１ｂ１１とするとともに、左側の縦フレーム部５１ｂ１の左側面を本発明に係る左の位置決め面５１ｂ１２として、背支桿のカバー５３を好適に取り付け得るものであるが、詳細な説明は後に詳述する。
【００２８】
結合板部５１ｂ２は、同図に示すように、縦フレーム部５１ｂ１の上端前側を若干屈曲しながら溶接により接続する金属板である結合板５１ｂ２１を主体としてなり、当該結合板５１ｂ２１の左右には上下方向にそれぞれ３つのナット部分を形成している。そして当該ナット部分の内、上側の４つのネジ穴を、後述するテーパ結合部５１ｃにおいてビスｂを定着させて上部背フレーム５１ａと結合させるためのフレーム固定孔５１ｂ２３とし、下方の２つのナット部分を、背凭れ６の下端取付部６１ｂを固定するための背固定孔５１ｂ２２としている。また本実施形態では、この結合板部５１ｂ２における結合板５１ｂ２１の下端縁を、後述する前面側下カバー５３ｂの弾性爪５３ｂ２に係り合わせる第２取付部を構成する段部５１ｂ２４としている。
【００２９】
座受枢支用の軸５１ｂ３は、同図に示すように、上述の通り座受３の後端部を回転可能に取り付けるためのものであるが、本実施形態ではこの座受枢支用の軸５１ｂ３を本発明に係る第１取付部とすることにより上述の位置決め面５１ｂ１１、５１ｂ１２とともに背支桿のカバー５３を取り付けるものである。またこの下部背フレーム５１ｂは、その先端部を先端に向かって漸次細くすることによりテーパ結合部５１ｃを構成するテーパ突起部分５１ｃ１を構成しているが、斯かるテーパ結合部５１ｃについては後に説明する。
【００３０】
上部背フレーム５１ａは、図３乃至７、図９乃至１１に示すように、例えば合成樹脂により一体に成型されているものであり、下端側において下部背フレーム５１ｂに接続する基部５１ａ１と、当該基部５１ａ１の上側におい二股に分岐する分岐桿部５１ａ２とを有したものである。
【００３１】
基部５１ａ１は、同図に示すように、下端部において後述するテーパ接続部を構成するテーパ穴部分５１ｃ２を設けるものであり、少なくとも後方から視認可能な部位を、該背支桿５１の背面を形成する背面側厚板部５１ａ１１と、この背面側厚板部５１ａ１１の前面であって該背面側厚板部５１ａ１１の左右両側縁よりも内側に偏った位置に設けられた前面側幅狭部５１ａ１２と、テーパ穴部分５１ｃ２にビスｂを挿通させるためのビス挿通孔５１ａ１３と、後述する前面側上カバー５３ｃを取り付けるための上カバー挿入溝５１ａ１４と、後述する背面側のカバー５３ａを取り付けるための第２取付部としてのナット部５１ａ１５とを有している。
【００３２】
分岐桿部５１ａ２は、同図に示すように、上述した基部５１ａ１と同じく、少なくとも後方から視認可能な部位を、該背支桿５１の背面を形成する背面側厚板部５１ａ２１と、この背面側厚板の前面であって該背面側厚板部５１ａ２１の左右両側縁よりも内側に偏った位置に設けられた前面側幅狭部５１ａ２２と、前記背面側厚板部５１ａ２１を上端まで周回させて連続した上面側厚板部５１ａ２３と、当該上面側厚板部５１ａ２３下方において前記前面側幅狭部５１ａ２２に連続させて設けられた弾性横桿５２を取り付けるための部品取付部５１ａ２４とを有している。斯かる部品取付部５１ａ２４の具体的な構成については後に詳述する（図１６）。
【００３３】
テーパ結合部５１ｃは、上述の通り下部背フレーム５１ｂと上部背フレーム５１ａに亘って設けたものであり、下部背フレーム５１ｂの縦フレーム部５１ｂ１に設けたテーパ突起部分５１ｃ１と、このテーパ突起部分５１ｃ１をテーパ嵌合させるべく前記上部背フレーム５１ａの下端を凹ませることにより形成したテーパ穴部分５１ｃ２とを具備してなるものである。
【００３４】
前記弾性横桿５２は、同図に示すように、上述した分岐桿部５１ａ２の上端において中間部二箇所を支持させたアーム部５２ａを左右に延伸させたものであり、この左右のアーム部５２ａを背凭れ６に接続したものである。
【００３５】
背支桿のカバー５３は、図３乃至図１１に示すように、金属製の下部背フレーム５１ｂを覆う例えば合成樹脂製のものであり、当該下部背フレーム５１ｂを後方すなわち背面側から覆う背面側のカバー５３ａと、背面側のカバー５３ａに相対して前方すなわち前面側から下部背フレーム５１ｂを覆う前面側下カバー５３ｂと、主に背凭れ６の立ち上がり箇所近傍並びに上部背フレーム５１ａの前面下側を覆う前面上カバー５３ｃとを有したものとなっている。
【００３６】
背面側のカバー５３ａは、同図、特に図８に示すように、下部背フレーム５１ｂの後方に位置付けられる後壁５３ａａの両側から側壁５３ａｂを立ち上がらせて形成したものであり、背支桿５１に設けた座受枢支用の軸５１ｂ３に係り合う二股係合片５３ａ１と、後壁５３ａａ上部を上部背フレーム５１ａにビス止めするためのビス挿通穴５３ａ２と、側壁５３ａｂの内面側において下部背フレーム５１ｂの左右面部である左右の位置決め面５１ｂ１１、５１ｂ１２に外側から嵌ることによって幅方向の位置決めをするための当接部５３ａ３と、前面側下カバー５３ｂの後述する案内リブ５３ｂ５に案内されて両カバーを幅方向に位置決めするためのくさび片５３ａ５（図９、図１１）とを有している。二股係合片５３ａ１は、先端部の開口幅が座受枢支用の軸５１ｂ３の直径よりも小さくなるように先端側を窄ませて形成しており、部材の一時的な弾性変形を利用して前記座受枢支用の軸５１ｂ３に係わり合わせることができる。ビス挿通穴５３ａ２は、後壁５３ａａの上端中央を若干凹ませた箇所の中央に設けられており、二股係合片５３ａ１を座受枢支用の軸５１ｂ３に係りあわせた状態で自ずと前記ナット部５１ａ１５に連通するものとなっている。当接部５３ａ３は、二股係合片５３ａ１近傍における側壁５３ａｂの内面側に設けたものであり、下部背フレーム５１ｂの左右面部、すなわち、右側の縦フレーム部５１ｂ１の右側面並びに左側の縦フレーム部５１ｂ１の左側面に当接するものである。
【００３７】
そして本実施形態では、図７、図９及び図１１に示すように、当該背面側のカバー５３ａを下部背フレーム５１ｂに取り付ける際には、まず二股係合片５３ａ１５３ｂ１を、第１取付部である座受枢支用の軸５１ｂ３の位置に合わせて押さえ込むことにより部材を弾性変形させて二股係合片５３ａ１を嵌め込む。しかる後にこの背面側のカバー５３ａを座受枢支用の軸５１ｂ３を中心に上方へ回動させると、後壁５３ａａ上端が上部背フレーム５１ａの下端に当接することとなる。この際、ビス挿通孔５１ａ１３は自ずと上部背フレーム５１ａに設けた第２取付部であるナット部５１ａ１５に連通することとなる。そして同時に側壁５３ａｂ内側の当接部５３ａ３が右側の縦フレーム部５１ｂ１の右側面並びに左側の縦フレーム部５１ｂ１の左側面にそれぞれ外側から当接するために幅方向の位置決めも自ずと行われることとなる。なお予め前面側下カバー５３ｂが取り付けられた状態では上記回動動作はし得ないものなるが、前面側下カバー５３ｂの向きと平行するような向きとして、二股係合片５３ａ１を第１取付部である座受枢支用の軸５１ｂ３へ向けて差し込めば、二股係合片５３ａ１が上下方向、当接部５３ａ３が幅方向の位置決めをなし得るとともに側壁５３ａｂの端面が前面側下カバー５３ｂに当たることで、自ずと正確な位置に背面側のカバー５３ａが位置決めされ、そのままビス挿通孔５１ａ１３及び連通する第２取付部であるナット部５１ａ１５にビスｂを挿入し、固定すればよい。
【００３８】
前面側下カバー５３ｂは、図３乃至５、７及び図９、図１１に示すように、下部背フレーム５１ｂの前方に位置付けられる前壁５３ｂａの両側から側壁５３ｂｂを立ち上がらせて形成したものであり、背支桿５１に設けた座受枢支用の軸５１ｂ３に係り合う二股係合片５３ｂ１と、前壁５３ｂａ上部を下部背フレーム５１ｂの結合板部５１ｂ２に係り合わせるための弾性爪５３ｂ２と、側壁５３ｂｂの内面側において下部背フレーム５１ｂの左右面部に外側から挟み込むことによって幅方向の位置決めをするための当接部５３ｂ３と、背面側のカバー５３ａのくさび片５３ａ５幅方向に案内するための案内リブ５３ａ５（図９、図１１）とを有している。二股係合片５３ｂ１は、先端部の開口幅が座受枢支用の軸５１ｂ３の直径よりも小さくなるように先端側を窄ませて形成しており、部材の一時的な弾性変形を利用して座受枢支用の軸５１ｂ３に係わり合わせることができる。弾性爪５３ｂ２は、前壁５３ｂａの上端における２箇所を後方に突出させて形成したものであり、二股係合片５３ｂ１を座受枢支用の軸５１ｂ３に係りあわせた状態で自ずと結合板部５１ｂ２の段部５１ｂ２４に下側から係り合うものとなっている。当接部５３ｂ３は、二股係合片５３ｂ１近傍における側壁５３ｂｂの内面側に設けたものであり、下部背フレーム５１ｂの左右面部、すなわち、右側の縦フレーム部５１ｂ１の右側面並びに左側の縦フレーム部５１ｂ１の左側面に当接するものである。
【００３９】
そして本実施形態では、図７、図９及び図１１に示すように、予め背面側のカバー５３ａが取り付けられた状態では、背面側のカバー５３ａの向きと平行するような向きとして、二股係合片５３ｂ１を第１取付部である座受枢支用の軸５１ｂ３へ向けて差し込めば、二股係合片５３ｂ１が上下方向、当接部５３ｂ３が幅方向の位置決めをなし得るとともに側壁５３ｂｂの端面が背面側のカバー５３ａに当たることで、自ずと正確な位置、すなわち前壁５３ｂａ上端に位置する弾性爪５３ｂ２が下部背フレーム５１ｂの結合板部５１ｂ２における段部５１ｂ２４に当接する位置に位置決めされるものとなる。そして弾性爪５３ｂ２と段部５１ｂ２４とが当接した状態から前壁５３ｂａをさらに押圧することにより、弾性爪５３ｂ２と段部５１ｂ２４が係り合い、前面側下カバー５３ｂの取り付けが完了する。
【００４０】
ここで、図９及び図１１に詳細に示すとおり、前面側下カバー５３ｂを嵌め込む際、座受枢支用の軸５１ｂ３近傍では前面側下カバー５３ｂの案内リブが背面側のカバー５３ａに設けたくさび片５３ａ５を前面側下カバー５３ｂ内へ案内しながら幅方向に正しく位置決めされた状態で装着されるので、図１１に示すように背面のカバー５３ａの外側面５３ａ４と前面側下カバー５３ｂの外側面５３ｂ４とが面一に揃うこととなる。なお当該くさび片５３ａ５と案内リブ５３ｂ５は背面側のカバー５３ａと前面側下カバー５３ｂとでそれぞれ反対側に設けたものとしてもよい。
【００４１】
また他方、当該背面側のカバー５３ａが下部背フレーム５１ｂに取り付けられていない場合は、まず二股係合片５３ｂ１を、第１取付部である座受枢支用の軸５１ｂ３の位置に合わせて押さえ込むことにより部材を弾性変形させて二股係合片５３ｂ１を嵌め込む。しかる後にこの前面側下カバー５３ｂを座受枢支用の軸５１ｂ３を中心に上方へ回動させると、前壁５３ｂａ上端に位置する弾性爪５３ｂ２が下部背フレーム５１ｂの結合板部５１ｂ２における段部５１ｂ２４に当接する位置に位置決めされるものとなる。そして弾性爪５３ｂ２と段部５１ｂ２４とが当接した状態から前壁５３ｂａをさらに押圧することにより、弾性爪５３ｂ２と段部５１ｂ２４が係り合い、前面側下カバー５３ｂの取り付けが完了する。
【００４２】
そして前面上カバー５３ｃは、特に図１０に示すように、下部背フレーム５１ｂの接合板部の下端から上部背フレーム５１ａの前面下側にあるビス挿通孔５１ａ１３に亘る背凭れ６の立ち上がり箇所周辺を被覆する被覆板部５３ｃ１と、当該被覆板部５３ｃ１の両側から上部背フレーム５１ａに設けたカバー挿入溝５１ａ１４に挿入する挿入板部５３ｃ２とを有しているものである。そして当該前面上カバー５３ｃは同図のとおり、背凭れ６の下端取付部６１ｂの上方から挟み込むように被覆板部５３ｃ１を差し込み、しかる後に挿入板部５３ｃ２をカバー挿入溝５１ａ１４に差し込むことにより、上述した背面側のカバー５３ａと前面側下カバー５３ｂも取り付ければそれらとともに、下部背フレーム５１ｂの表面を略前面に亘って覆うことができるものとなっている。
【００４３】
しかして本実施形態では、特に図１１に示すように、両カバーすなわち背面側のカバー５３ａと前面側下カバー５３ｂとを取り付けた状態では、共通の第１取付部たる座受枢支用の軸５１ｂ３に二股係合片５３ａ１、５３ｂ１が係り合うことにより、下部背フレーム５１ｂに対する正確な位置決めのみならず、背面側のカバー５３ａと前面側下カバー５３ｂとの前後方向の位置決めが正確になされるようになっている。また背面側のカバー５３ａと前面側下カバー５３ｂとが縦フレームの左右面部である右側の縦フレーム部５１ｂ１の右側面並びに左側の縦フレーム部５１ｂ１の左側面において当接部５３ａ３、５３ｂ３をそれぞれ当接させていることにより、下、背面側のカバー５３ａと前面側下カバー５３ｂとの幅方向の位置決めが正確になされるようになっている。そしてその結果、両カバーすなわち背面側のカバー５３ａ及び前面側下カバー５３ｂの側壁外面５３ａ４、５３ｂ４が、略面一に揃ったものとなっている。
【００４４】
ここで、本実施形態に係る椅子１００は、特に図１２及び図１３に示すように、下部背フレーム５１ｂと上部背フレーム５１ａとの連結を、テーパ面を利用したテーパ結合部５１ｃを採用することにより、テーパ突起部分５１ｃ１の上方からテーパ穴部分５１ｃ２を挿入した後、互いに連通したビス挿通孔５１ａ１３とナット部分であるフレーム固定孔５１ｂ２３とをビスｂによって定着することにより、前記テーパ突起部分５１ｃ１が前記テーパ穴部分５１ｃ２から抜けるのを禁止しているものである。この状態においてテーパ突起部分５１ｃ１はテーパ穴部分５１ｃ２に対して前後方向に密接に嵌合することにより、下部背フレーム５１ｂ部と上部背フレーム５１ａ部との強固な連結を可能なものとしている。
【００４５】
さらに本実施形態に係る椅子１００は、特に図１４に断面を示すように、上部背フレーム５１ａの基部５１ａ１において背面側厚板部５１ａ１１は、背支桿５１の背面を平板状に形成し幅方向に最も寸法が大きく形成されており、この背面側厚板部５１ａ１１から前方に向けて上下に延びる複数のリブを前方に突出させ、当該リブのうち、両端のリブ間の幅寸法を背面側厚板部５１ａ１１の幅寸法よりも狭い寸法とすることにより、前面側幅狭部５１ａ１２を形成している。そうすることにより、背面側厚板部５１ａ１１により背支桿５１に掛る幅方向からの外力に対する強度を有効に高めたものとなっている。
【００４６】
さらに図１５に断面を示すように、上部背フレーム５１ａの分岐桿部５１ａ２においても同様に、背面側厚板部５１ａ２１は、背支桿５１の背面を平板状に形成し幅方向に最も寸法が大きく形成されており、この背面側厚板部５１ａ２１から前方に向けて上下に延びる複数のリブを前方に突出させ、当該リブのうち、両端のリブ間の幅寸法を背面側厚板部５１ａ２１の幅寸法よりも狭い寸法とすることにより、前面側幅狭部５１ａ２２を形成したものとしている。そうすることによりこの分岐桿部５１ａ２においても、背面側厚板部５１ａ２１により背支桿５１に掛る幅方向からの外力に対する強度を有効に高めている。
【００４７】
そして、図１６に示すように、部品取付部５１ａ２４は側面視凹状の取付部接続部５１ａ２５を主体としてなるものである。本実施形態では、そしてこの取付部接続部を、背面側厚板部５１ａ２１と上面側厚板部５１ａ２３との間を隆起させて設けた上側取付部５１ａ２６と、前面側幅狭部５１ａ２２を構成するリブ間を埋めるように中実として隆起させて設けた下側取付部５１ａ２７とを設けることにより形成している。そしてこれら上側取付部５１ａ２６と下側取付部５１ａ２７との間に弾性横桿５２を挟持させることによって、この弾性横桿を強固に取り付けたものとしている。具体的には上側取付部５１ａ２５は下面側及び下側取付部の上面側にはそれぞれ軸収容穴５１ａ２８、５１ａ２９を設け、これら軸収容穴５１ａ２８、５１ａ２９に図示しない軸をビス止めすることにより弾性横桿５２を前記軸を中心に回転可能に取り付けている。そして上述したように、背面側厚板部５１ａ２１は前面側幅狭部５１ａ２２よりも幅寸法が大きいため、背面側からは取付部接続部５１ａ２５と弾性横桿との接触箇所を有効に隠蔽し得るものとなっている。なお、このような部品取付部５１ａ２４の部品を確実に支持し得る構成を利用して、他のオプション部材を取り付ける構成としても良い。その場合、前記軸に別途雌ねじ部を設けるなどして他のオプション部材を取り付け得るように構成したものを挙げることができる。
【００４８】
以上のような構成とすることにより、本実施形態に係る椅子１００は、背支桿５１の少なくとも後方から視認可能な部位に背面側厚板部５１ａ１１、５１ａ２１と、前面側幅狭部５１ａ１２、５１ａ２２とを備えたものにしているので、背支桿５１に掛かる荷重のうち、同じ素材を用いても、特に幅方向からの荷重に対して有効に強度を向上させることができる。そうすることにより、背支桿５１に掛る着座者から背凭れ６を介して掛る実質的な荷重、すなわち、背支桿５１への前後方向、幅方向、上下方向からのあらゆる方向複合的に掛かる荷重に対してもバランス良く好適に対応することが可能である。
【００４９】
また、後方からの見栄えを良好に担保しつつ背支桿５１に掛かる荷重をバランス良く受け得るものとするために本実施形態では、背支桿５１を、背面側厚板部５１ａ１１、５１ａ２１と前面側幅狭部５１ａ１２、５１ａ２２とを合成樹脂により一体に成型したものとしている。
【００５０】
加えて本実施形態では、上下方向で異なる着座者からの荷重の掛かり方に対して好適に対応し得るように、具体的には通常着座者の荷重は動作範囲が大きい背凭れ６の上側の方が荷重の掛り方が不規則なものとなる点に着目し背支桿５１を、合成樹脂製の上部背フレーム５１ａと、この上部背フレーム５１ａとを支える下部背フレーム５１ｂとを具備したものとして、上部背フレーム５１ａの方に、背面側厚板部５１ａ１１、５１ａ２１と前記前面側幅狭部５１ａ１２、５１ａ２２とをそれぞれ備えたものとした。
【００５１】
特に着座者の上体を好適に支持し得るように背凭れの上側をより好適に支持するために本実施形態では、背面側厚板部５１ａ１１、５１ａ２１と前面側幅狭部５１ａ１２、５１ａ２２とをそれぞれ備えた上部背フレーム５１ａに、二股に分岐する分岐桿部５１ａ２を形成したものとしている。
【００５２】
また後方からの見栄えや背支桿の強度をさらに有効に担保し得る構成として、各分岐桿部５１ａ２の上端に、前記背面側厚板部５１ａ１１、５１ａ２１に連続する上面側厚板部５１ａ２３をそれぞれ設けたものとしている。そしてその各分岐支桿部における前記背面側厚板部５１ａ１１、５１ａ２１の下に、背凭れ６を前記分岐桿部５１ａ２に支持させるための部品を取り付ける部品取付部５１ａ２４を前記前面幅狭部に連続させて設けることにより、当該部品取付部５１ａ２４を目立たさずに良好な見栄えを確保し得たものとしている。
【００５３】
そして、部品取付部５１ａ２４に取り付ける部品を、中間部２箇所を前記分岐支桿部に支持させたアーム部５２ａを左右に延伸させた弾性横桿５２として、この弾性横桿５２の左右のアーム部５２ａを背凭れ６に接続したものとすることにより、背支桿５１が背を確実に支持し得るとともに弾性横桿５２が着座者の背の動きに好適に対応して支持しうるものとなり、着座者に快適な着座感を与え得るものとなっている。
【００５４】
以上、本発明の実施形態について説明したが、各部の具体的な構成は、上述した実施形態のみに限定されるものではなく、本発明の趣旨を逸脱しない範囲で種々変形が可能である。
【００５５】
例えば、上記実施形態では部品取付部に弾性横桿を取り付ける構成を適用したが、当該弾性横桿の他にも、例えばハンガーやヘッドレストなど、椅子に取り付け得る種々のオプションを取り付けたものであっても良い。また上記実施形態では背支桿の断面形状を背面側厚板部と前面側幅狭部とによって概略Ｔ字状に形成したが、本発明は当該形状に限定されることはなく、例えば、断面視Ｌ字のものであったり、断面視十字型のものであるなど、背面側厚板部の幅寸法が相対的に大きく設定したものであったりすれば種々の断面形状を採用することが可能である。
【００５６】
その他、各部の具体的構成についても上記実施形態に限られるものではなく、本発明の趣旨を逸脱しない範囲で種々変形が可能である。
【図面の簡単な説明】
【００５７】
【図１】本発明の一実施形態に係る椅子の外観図。
【図２】同実施形態に係る椅子の側面図。
【図３】同実施形態に係る椅子の要部を示す図。
【図４】同実施形態に係る椅子の構成説明図。
【図５】同実施形態に係る椅子の要部を分解して示す図。
【図６】同実施形態に係る椅子の要部拡大図。
【図７】同実施形態に係る椅子の他の要部拡大図。
【図８】同実施形態に係る椅子の背面側のカバーを示す図。
【図９】同実施形態に係る背支桿のカバーを示す拡大図。
【図１０】同実施形態に係る背支桿の要部拡大図。
【図１１】同背支桿のカバー及び座受枢支用の軸を示す模式的な断面図。
【図１２】同背支桿のテーパ結合部を示す模式的な断面図。
【図１３】同テーパ結合部の他の模式的な断面図。
【図１４】同背支桿の上部背フレームの基部を示す模式的な断面図。
【図１５】同上部背フレームの分岐幹部の模式的な断面図。
【図１６】同上部背フレームの部品取付部の拡大図。
【符号の説明】
【００５８】
１００…椅子
５１…背支桿
５１ａ…上部背フレーム
５１ａ１１、５１ａ２１…背面側厚板部
５１ａ１２、５１ａ２２…前面側幅狭部
５１ａ２…分岐桿部
５１ａ２３…上面側厚板部
５１ａ２４…部品取付部
５１ｂ…下部背フレーム
５２…部品（弾性横桿）
５２ａ…アーム部
６…背凭れ
【図１】
2010063825.tif 000003
【図２】
2010063825.tif 000004
【図３】
2010063825.tif 000005
【図４】
2010063825.tif 000006
【図５】
2010063825.tif 000007
【図６】
2010063825.tif 000008
【図７】
2010063825.tif 000009
【図８】
2010063825.tif 000010
【図９】
2010063825.tif 000011
【図１０】
2010063825.tif 000012
【図１１】
2010063825.tif 000013
【図１２】
2010063825.tif 000014
【図１３】
2010063825.tif 000015
【図１４】
2010063825.tif 000016
【図１５】
2010063825.tif 000017
【図１６】
2010063825.tif 000018